(57)【要約】【課題】  上着を簡単かつコンパクトに折りたたみ、鞄等に収納できる携帯用ハンガーを提供する。【解決手段】  肩体部と、肩体部の左右に接続された一対の肩先部と、肩体部に取り付けられた把持部とを備え、肩体部の上部に上着を引掛ける上部棒体と、肩体部の中心部分に接続され上下方向に回動可能な上着を引掛ける下部棒体とを設けたことを特徴とする。【選択図】図１
2013192922.tif 000002
【特許請求の範囲】
【請求項１】
肩体部と、前記肩体部の左右に接続された一対の肩先部と、前記肩体部に取り付けられた把持部とを備え、前記肩体部の上部に上着を引掛ける上部棒体と、前記肩体部の中心部分に接続され上下方向に回動可能な上着を引掛ける下部棒体とを設けたことを特徴とする携帯用ハンガー。
【請求項２】
請求項１記載の携帯用ハンガーにおいて、前記肩体部の肩掛け部分の左右両端の長さより、前記上部棒体及び前記下部棒体の左右両端が長いことを特徴とする携帯用ハンガー。
【請求項３】
請求項２記載の携帯用ハンガーにおいて、前記上部棒体及び前記下部棒体の左右両端部に前記肩体部の側面部分と反対方向に突出する突起部を設けたことを特徴とする携帯用ハンガー。
【請求項４】
請求項１及至３のいずれかに記載の携帯用ハンガーにおいて、前記肩体部の肩掛け部分の左右両端の長さより、肩体底辺部の左右両端の長さを左右均等に短くし、左右両方の前記肩体部の側面部分と前記肩先部とが接続する回動軸を略逆ハの字形にすることで、前記肩先部を折りたたむと前記肩先部の先端部分が前記肩体部の肩掛け部部分の両端より上向き又は平行となるように形成したことを特徴とする携帯用ハンガー。
【発明の詳細な説明】
【技術分野】
【０００１】  この発明は、上着を簡単かつコンパクトに折りたたみ、鞄等に収納できる携帯用ハンガーに関するものである。
【背景技術】
【０００２】  従来より、外出時における上着の持運びに関する器具は多数ある。
例えば、図７に示すように、掛け板１に上着を掛けた状態で有口掛け板２の開口部に上着の裾や袖口を引き通し、上着を三つ折りにして掛け板１の取っ手部分に有口掛け板２の開口部を引っ掛け、鞄と共に掛け板１をもった状態でも上着が地面に届かない特開２００４−１１３４４６（特許文献１）がある。【０００３】  その他、図８に示すように、ハンガー１に上着を掛けた状態でハンガー１の肩先部２を折り曲げ、上着を横方向にたたみ、従来のガーメントバッグよりコンパクトに上着を収納することができる実用新案登録第３１３２１８２号（特許文献２）がある。
【先行技術文献】
【特許文献】
【０００４】
【特許文献１】特開２００４−１１３４４６
【特許文献２】実用新案登録第３１３２１８２号
【発明の概要】
【発明が解決しようとする課題】
【０００５】  しかしながら、特許文献１に関しては、片手で鞄と上着を褂けた携帯用ハンガーを持つことはできるが、上着を携帯用ハンガーに掛けた状態でビジネスで用いられるＡ４サイズの書類が入る程度の鞄に収納することは困難である。【０００６】  また、特許文献２に関しては、上着を掛けた状態でハンガーの左右肩先部を折りたたみ、縦方向に細くなった上着を机等の台の上に置いて横方向に折りたたむとコンパクトになり、鞄やバッグ等への収納が可能となるが、机等の台がない状態で横方向に折りたたむことは困難である。【０００７】  そこで、本発明は、机等の台がない状態でも、上着をビジネスで用いられるＡ４サイズの書類が入る程度の鞄に収納することができる携帯用ハンガーを提供することを課題とする。
【課題を解決するための手段】
【０００８】  請求項１の発明にかかる携帯用ハンガーは、肩体部と、肩体部の左右に接続された一対の肩先部と、肩体部に取り付けられた把持部とを備え、肩体部の上部に上着を引掛ける上部棒体と、肩体部の中心部分に接続され上下方向に回動可能な上着を引掛ける下部棒体とを設けたことを特徴とする。【０００９】  本発明によれば、携帯用ハンガーに上着を掛け、上着の左右の肩先を前方方向に回動させて折りたたみ、下部棒体を下方向に回動させ肩体底辺部とで上着の両袖や襟元を挟持すると共に、把持部を下方向に回動させ肩体部の前面に密着させ、平行する下部棒体と上部棒体を内側の支点にして、上着を外側に巻きつける形で折りたたむことができ、机等の台がない状態でも簡単に上着をビジネスで用いられるＡ４サイズの書類が入る程度の鞄に収納することが可能となる。
また、上着の内包される部分である左右両袖及び襟元を下部棒体と肩体底辺部で挟持することにより、しわを防ぐことができる。【００１０】  また、請求項２の発明にかかる携帯用ハンガーは、請求項１記載の携帯用ハンガーにおいて、肩体部の肩掛け部分の左右両端の長さより、上部棒体及び下部棒体の左右両端が長いことを特徴とする。【００１１】  従って、肩体肩掛け部に上着を掛け左右の肩先部を折りたたみ下部棒体及び上部棒体を内側にして上着を折りたたんでいく際、下部棒体及び上部棒体の左右両端に少し余裕ができ、しわを防ぐことができる。また、上部棒体と下部棒体の左右両端の長さを同一にすることで、上部棒体の前面に下部棒体を重ねて収納することができ、差し障りがない。【００１２】  また、請求項３の発明にかかる携帯用ハンガーは、請求項２記載の携帯用ハンガーにおいて、上部棒体及び下部棒体の左右両端部に肩体部の側面部分と反対方向に突出する突起部を設けたことを特徴とする。【００１３】  従って、上着を折りたたんだ際に上着が上部棒体及び下部棒体の左右両端よりはみ出さず、コンパクトに収納することができる。また、上着を鞄へ収納した際、底辺の密着によるこすれを少なくし、上着の消耗を減らすことができる。【００１４】  また、請求項４の発明にかかる携帯用ハンガーは、請求項１及至３のいずれかに記載の携帯用ハンガーにおいて、肩体部の肩掛け部分の左右両端の長さより、肩体底辺部の左右両端の長さを左右均等に短くし、左右両方の肩体部の側面部分と肩先部とが接続する回動軸を略逆ハの字形にすることで、肩先部を折りたたむと肩先部の先端部分が肩体部の肩掛け部分の両端より上向き又は平行となるように形成したことを特徴とする。【００１５】  従って、折りたたまれた左右両方の上着の肩先は上向きあるいは水平となり、上部棒体及び下部棒体の左右両端の長さよりも上着の裾や袖口が広がらず、コンパクトに折りたたむことができる。
【発明の効果】
【００１６】  本発明によれば、ビジネスで用いられるＡ４サイズの書類が入る程度の鞄に上着を収納することができるため、上着を着用しない時でも上着を手で持つ必要がない。
また、従来の携帯用ハンガーの様に鞄等に引っ掛ける形状ではなく上着を鞄に収納することができるため、雨天時に上着が濡れることもなく、公共交通機関等での移動時に鞄と上着を棚等に置くことが容易である。【００１７】  また、本発明によれば、机等の台がない場合でも起立したままで上着を折りたたむことができるため、外出時に鞄に収納する際は、極めて便利である。【００１８】  また、本発明によれば、ポケット口を内側に折りたたみ、鞄に収納するため、ポケット等に入れている持ち物も落とすことはない。【００１９】  また、本発明の携帯用ハンガーは、上着の両袖や襟元を挟持することで、上着の内包する部分のしわを防止し、上着の裾や袖口は広がらないように折り曲げた肩先を持ち上げると共に、上着を折りたたむ棒体の幅に余裕を持たせ、上着が棒体からはみ出ないような形体をとることで、上着を折りたたむ際のしわを極力減らすことができる。【００２０】  また、本発明によれば、携帯用ハンガーを使用し、上着を鞄等へ収納した際、底辺のこすれによる上着の消耗を減らすことができる。【００２１】  また、本発明の携帯用ハンガーは、未使用時も両方の肩先部や把持部、下部棒体が回動するため、コンパクトなＡ４サイズに収まり、常時携帯するのに便利である。【００２２】  また、本発明によれば、外出先より戻った際も、鞄から取り出し、上着を掛けるのみのハンガーとしても使用できる。
【図面の簡単な説明】
【００２３】
【図１】本発明の実施形態を示し、実施形態において、肩先部と把持部を開き、Ｔ字押え部を前方に開いた状態を示す斜視図である。
【図２】本発明の実施形態を示し、実施形態において、肩先部と把持部を開き、下部棒体を上部棒体に重ねた状態を示す平面図である。
【図３】本発明の実施形態を示し、実施形態において、肩先部と把持部を閉じ、下部棒体を肩体底辺部に重ねた状態を示す平面図である。
【図４】本発明の実施形態を示し、実施形態において、上着を肩体肩掛け部に掛け、肩先部と把持部を閉じ、下部棒体と肩体底辺部とで上着の両袖及び襟元を挟持した状態を示す正面図である。
【図５】本発明の実施形態を示し、実施形態において、携帯用ハンガーを使用した状態を示す斜視図である。
【図６】本発明の実施形態を示し、実施形態において、携帯用ハンガーを使用した状態で、鞄への収納方法を示す斜視図である。
【図７】従来の技術である携帯用ハンガーを使用した状態を示す斜視図である。
【図８】従来の技術である衣服用ハンガーを使用した状態を示す正面図である。
【発明を実施するための形態】
【００２４】  以下、本発明を実施するための形態について説明する。
【００２５】  図１に示すように、本実施形態に係る携帯用ハンガー１は、頂部に肩体底辺部１４と平行する上部棒体１１を有する肩体部１０と、肩体部１０の左右に接続された前方方向に回動可能な一対の肩先部２０と、上部棒体１１の中心部に接続された上下方向に回動可能な把持部３０と、肩体中心部１５に接続され上下方向に回動可能な下部棒体４１を有するＴ字押え部４０とを備えている。図３に示すように、下部棒体４１を下方向に回動させると、下部棒体４１は肩体底辺部１４と重なるように形成されており、把持部３０を下方向に回動させると、肩体部１０の前面に重なり、上部棒体１１の天面より突出しない。
【００２６】  また、図３に示すように、上部棒体１１及び下部棒体４１の左右両端の長さは肩体肩掛け部１６の左右両端より長く、且つ上部棒体１１及び下部棒体４１の左右両端の長さは同一とする。
【００２７】  また、図３に示すように、上部棒体１１及び下部棒体４１の左右両端部に肩体側面部１３と反対方向に突出する上部棒体突起部１２及び下部棒体突起部４２を設ける。
【００２８】  また、図３に示すように、肩体部１０の肩体肩掛け部１６の左右両端の長さよりも肩体底辺部１４の左右両端の長さを左右均等に短くし、左右両方の肩体側面部１３と肩先部２０とが接続する回動軸を略逆ハの字形にすることで、肩先部２０を折りたたむと肩先先端部２１が肩体肩掛け部両端１７より上向き又は平行となるように形成する。
【００２９】  従って、本実施形態によれば、図４に示すように、携帯用ハンガー１の肩体肩掛け部１６に上着２を掛けた状態で左右の肩先部２０を前方方向に回動させて折りたたみ、縦方向に細くなった上着２の左右両袖及び襟元を、上部棒体１１に重ねた下部棒体４１を下方向に回動させ、下部棒体４１と肩体部１０の底辺部とで挟持すると共に、把持部３０を下方向に回動させ肩体部１０の前面に密着させる。
また、下部棒体４１を内包する状態で下部棒体４１と平行する上部棒体１１に向け上着２を横方向に折りたたみ、図５に示すように、上部棒体１１と下部棒体４１を内側の支点にして外側に上着２を巻くような形で上着２の裾や袖口まで折りたたむ。
【００３０】  この状態においては、図５に示すように、下部棒体４１と肩体底辺部１４とで上着２の両袖や襟元を挟持するためしわを防ぎ、平行する下部棒体４１と上部棒体１１を内側の支点にして、上着２を外側に巻きつける形でコンパクトに折りたたんでいくことができるため、机等の台がない状態でも簡単に上着２を折りたたむことができ、例えば図６に示すように、携帯用ハンガー１に折りたたんだ上着２を、ハンガー収納ケース３に挟み、Ａ４サイズの書類が入る程度の鞄４に収納できる。
【００３１】  また、図３に示すように、左右の肩先部２０を折りたたんだ状態の肩体肩掛け部１６の左右両端の長さより、上部棒体１１及び下部棒体４１の左右両端を長くすることで、図４及び図５に示すように、肩体肩掛け部１６に上着２を掛け、左右の肩先部２０を折りたたみ下部棒体４１及び上部棒体１１を内側の支点にして上着２を折りたたんでいく際、下部棒体４１及び上部棒体１１の左右両端に少し余裕をもたせ、上着２の折りじわを極力減らすことができる。また、図２に示すように、上部棒体１１及び下部棒体４１の左右両端の長さを同一にすることで、下部棒体４１を上部棒体１１の前面に重ねて収納することができ、差し障りがない。
【００３２】  また、図３に示すように、上部棒体１１及び下部棒体４１の左右両端に肩体側面部１３と反対方向に突出する上部棒体突起部１２及び下部棒体突起部４２を夫々設けることで、図５に示すように、上着２を折りたたんだ際に上着が、上部棒体１１及び下部棒体４１の左右両端よりはみ出さず、コンパクトに収納することができる。また、図６に示すように、ハンガー収納ケース３を使用し、上着２を鞄４へ収納した際、底辺の密着によるこすれを少なくし、上着２の消耗を減らすことができる。
【００３３】  また、図３に示すように、肩先部２０を折りたたむと肩先先端部２１が肩体肩掛け部両端１７より上向き又は水平となるように形成することで、図４に示すように、折りたたまれた上着２の左右両方の肩先は上向きあるいは水平となり、上着２の裾や袖口が広がらず、上部棒体１１及び下部棒体４１の左右両端の長さの範囲内で、上着２をコンパクトに折りたたむことができる。
【００３４】  本発明は、上記実施形態に限ることなく本発明の要旨を逸脱することなくその他種々の構成が採りえることは勿論である。
【符号の説明】
【００３５】１    携帯用ハンガー
２    上着
３    ハンガー収納ケース
４    鞄
１０  肩体部
１１  上部棒体
１２  上部棒体突起部
１３  肩体側面部
１４  肩体底辺部
１５  肩体中心部
１６  肩体肩掛け部
１７  肩体肩掛け部先端
２０  肩先部
２１  肩先先端部
３０  把持部
４０  Ｔ字押え部
４１  下部棒体
４２  下部棒体突起部
【図１】
2013192922.tif 000003
【図２】
2013192922.tif 000004
【図３】
2013192922.tif 000005
【図４】
2013192922.tif 000006
【図５】
2013192922.tif 000007
【図６】
2013192922.tif 000008
【図７】
2013192922.tif 000009
【図８】
2013192922.tif 000010